(57)【要約】【課題】簡易な設備で面状の領域に植栽された緑化植物に対する水の供給を行うことのできる屋上緑化装置及び屋上緑化方法を提供する。【解決手段】建物屋上の面状の領域に植栽される緑化植物に対し水を供給するものであって、緑化植物６が植栽される領域の一辺と隣接する水槽１と、水槽１に対し水を供給する水供給部２と、水槽１の緑化植物６と隣接する一辺に沿って設けられる負圧部材４と、緑化植物６が植栽される領域の略全域に渡り建物屋上の上面に敷設される吸水シート材３とからなり、負圧部材４は一端側が水槽１に貯留される水に浸るようにされ、他端側が水槽１の側面を乗り越えて吸水シート材３の端部と重なり合うように引き出され、毛細管現象により水槽１からの水を吸い上げると共に、吸水シート材３に水を供給する。【選択図】図４
2010110297.tif 000002
【特許請求の範囲】
【請求項１】
建物屋上の面状の領域に植栽される緑化植物に対し水を供給する屋上緑化装置において、
前記緑化植物が植栽される領域の一辺に隣接する水槽と、該水槽に対し水を供給する水供給部と、前記水槽の緑化植物と隣接する一辺に沿って設けられる負圧部材と、前記水槽と隣接し前記緑化植物が植栽される領域の略全域に渡り前記建物屋上の上面に敷設される吸水シート材とからなり、
前記負圧部材は一端側が前記水槽に貯留される水に浸るようにされ、他端側が前記水槽の側面を乗り越えて前記吸水シート材の端部と重なり合うように引き出され、毛細管現象により前記水槽からの水を吸い上げると共に、前記吸水シート材に水を供給することを特徴とする屋上緑化装置。
【請求項２】
前記吸水シート材は前記建物屋上の上面側に配置される非透水フィルムと、該非透水フィルムの上面側に配置される吸水性布との２層構造からなることを特徴とする請求項１記載の屋上緑化装置。
【請求項３】
前記負圧部材は布材からなると共に、前記水槽の内壁面及び外壁面に沿うように取付けられることを特徴とする請求項１または２記載の屋上緑化装置。
【請求項４】
前記水供給部は水道に接続されると共に、前記水槽の水位が一定水準に達すると水の供給を停止するストッパを備えることを特徴とする請求項１〜３のいずれか１項に記載の屋上緑化装置。
【請求項５】
建物屋上の面状の領域に植栽される緑化植物に対し水を供給する屋上緑化方法において、
前記建物屋上の上面に吸水シート材を敷設し、該吸水シート材に隣接して水槽を配置し、該水槽には水を供給する水供給部を設け、前記水槽の緑化植物と隣接する一辺に沿って負圧部材を設け、該負圧部材は一端側が前記水槽に貯留される水に浸るようにされ、他端側が前記水槽の側面を乗り越えて前記吸水シート材の端部と重なり合うように引き出され、前記吸水シート材の上に緑化植物を配置し、
前記水槽には前記水供給部から水が供給され、前記負圧部材の毛細管現象により前記水槽からの水を吸い上げると共に、前記吸水シート材に水を供給することで、前記緑化植物に水を供給することを特徴とする屋上緑化方法。
【請求項６】
前記水槽には定期的に水溶性の肥料を供給することを特徴とする請求項５記載の屋上緑化方法。
【発明の詳細な説明】
【技術分野】
【０００１】
本発明は、建物屋上の面状の領域に植栽される緑化植物に対し水を供給する屋上緑化装置及び屋上緑化方法に関し、特に簡素な設備で緑化植物に対する水の供給を行うことのできる屋上緑化装置及び屋上緑化方法に関する。
【背景技術】
【０００２】
ビル等の建物屋上に、芝などの緑化植物を面状に植えて、屋上緑化を図ることが従来行われている。屋上を緑化することにより、日照による屋上の温度上昇を抑えることができ、また建物の断熱性も向上することから、冷暖房効率を向上させることができる。したがって、ＣＯ２の削減に寄与することができる。このため近年、特に屋上緑化が進められるようになっている。
【０００３】
植物を維持するためには、言うまでもなく水の供給が必要となる。このため、屋上緑化装置としては、植物に対して水を供給するために、水道に繋がれた供給部からの水を、配管を介して緑化植物が植栽された領域の全域に供給するものが知られている。また、スプリンクラーのような設備を設置するものも知られている。配管を介して水を供給する屋上緑化装置としては、例えば特許文献１に挙げるようなものがある。
【特許文献１】特開２００４−２９８１４０号公報
【発明の開示】
【発明が解決しようとする課題】
【０００４】
従来の屋上緑化装置は、水を緑化植物が植栽された領域の全域に供給するために、配管やスプリンクラーなどの大掛かりな設備が必要であり、高価であると共に、長い工事期間が必要となっていた。また、重量が大きいため、建物によっては屋上に設置できない場合もあった。そしてこのことが、屋上緑化を普及させる阻害要因ともなっている。
【０００５】
本発明は前記課題を鑑みてなされたものであり、簡易な設備で面状の領域に植栽された緑化植物に対する水の供給を行うことのできる屋上緑化装置及び屋上緑化方法を提供することを目的とする。
【課題を解決するための手段】
【０００６】
前記課題を解決するため、本発明に係る屋上緑化装置は、建物屋上の面状の領域に植栽される緑化植物に対し水を供給する屋上緑化装置において、
前記緑化植物が植栽される領域の一辺に隣接する水槽と、該水槽に対し水を供給する水供給部と、前記水槽の緑化植物と隣接する一辺に沿って設けられる負圧部材と、前記水槽と隣接し前記緑化植物が植栽される領域の略全域に渡り前記建物屋上の上面に敷設される吸水シート材とからなり、
前記負圧部材は一端側が前記水槽に貯留される水に浸るようにされ、他端側が前記水槽の側面を乗り越えて前記吸水シート材の端部と重なり合うように引き出され、毛細管現象により前記水槽からの水を吸い上げると共に、前記吸水シート材に水を供給することを特徴として構成されている。
【０００７】
また、本発明に係る屋上緑化装置は、前記吸水シート材は前記建物屋上の上面側に配置される非透水フィルムと、該非透水フィルムの上面側に配置される吸水性布との２層構造からなることを特徴として構成されている。
【０００８】
さらに、本発明に係る屋上緑化装置は、前記負圧部材は布材からなると共に、前記水槽の内壁面及び外壁面に沿うように取付けられることを特徴として構成されている。
【０００９】
さらにまた、本発明に係る屋上緑化装置は、前記水供給部は水道に接続されると共に、前記水槽の水位が一定水準に達すると水の供給を停止するストッパを備えることを特徴として構成されている。
【００１０】
そして、本発明に係る屋上緑化方法は、建物屋上の面状の領域に植栽される緑化植物に対し水を供給する屋上緑化方法において、
前記建物屋上の上面に吸水シート材を敷設し、該吸水シート材に隣接して水槽を配置し、該水槽には水を供給する水供給部を設け、前記水槽の緑化植物と隣接する一辺に沿って負圧部材を設け、該負圧部材は一端側が前記水槽に貯留される水に浸るようにされ、他端側が前記水槽の側面を乗り越えて前記吸水シート材の端部と重なり合うように引き出され、前記吸水シート材の上に緑化植物を配置し、
前記水槽には前記水供給部から水が供給され、前記負圧部材の毛細管現象により前記水槽からの水を吸い上げると共に、前記吸水シート材に水を供給することで、前記緑化植物に水を供給することを特徴として構成されている。
【００１１】
また、本発明に係る屋上緑化方法は、前記水槽には定期的に水溶性の肥料を供給することを特徴として構成されている。
【発明の効果】
【００１２】
本発明に係る屋上緑化装置によれば、緑化植物が植栽される領域の一辺に隣接する水槽と、水槽に対し水を供給する水供給部と、水槽の緑化植物と隣接する一辺に沿って設けられる負圧部材と、水槽と隣接し緑化植物が植栽される領域の略全域に渡り建物屋上の上面に敷設される吸水シート材とからなり、負圧部材は一端側が水槽に貯留される水に浸るようにされ、他端側が水槽の側面を乗り越えて吸水シート材の端部と重なり合うように引き出され、毛細管現象により水槽からの水を吸い上げると共に、吸水シート材に水を供給することにより、負圧部材と吸水シート材によって、水槽の水を面状に植栽された緑化植物に対し与えることができるので、大掛かりな設備を必要とすることなく簡易な設備で屋上緑化を行うことができ、安価かつ短い工事期間で設置することができると共に、軽量であるため多くの建物で採用することができる。
【００１３】
また、本発明に係る屋上緑化装置によれば、吸水シート材は建物屋上の上面側に配置される非透水フィルムと、非透水フィルムの上面側に配置される吸水性布との２層構造からなることにより、吸水シート材に供給された水を屋上面側に漏らすことのないようにすることができる。
【００１４】
さらに、本発明に係る屋上緑化装置によれば、負圧部材は布材からなると共に、水槽の内壁面及び外壁面に沿うように取付けられることにより、安価かつ容易に負圧部材を設けることができる。
【００１５】
さらにまた、本発明に係る屋上緑化装置によれば、水供給部は水道に接続されると共に、水槽の水位が一定水準に達すると水の供給を停止するストッパを備えることにより、水の供給を自動的に行って管理を容易にすることができる。
【００１６】
そして、本発明に係る屋上緑化方法によれば、建物屋上の上面に吸水シート材を敷設し、吸水シート材に隣接して水槽を配置し、水槽には水を供給する水供給部を設け、水槽の緑化植物と隣接する一辺に沿って負圧部材を設け、負圧部材は一端側が水槽に貯留される水に浸るようにされ、他端側が水槽の側面を乗り越えて吸水シート材の端部と重なり合うように引き出され、吸水シート材の上に緑化植物を配置し、水槽には水供給部から水が供給され、負圧部材の毛細管現象により水槽からの水を吸い上げると共に、吸水シート材に水を供給することで、緑化植物に水を供給することにより、負圧部材と吸水シート材によって、水槽の水を面状に植栽された緑化植物に対し与えることができるので、大掛かりな設備を必要とすることなく簡易な設備で屋上緑化を行うことができ、安価かつ短い工事期間で設置することができると共に、軽量であるため多くの建物で採用することができる。
【００１７】
また、本発明に係る屋上緑化方法によれば、水槽には定期的に水溶性の肥料を供給することにより、緑化植物の生育促進を容易に行うことができる。
【発明を実施するための最良の形態】
【００１８】
本発明の実施形態について図面に沿って詳細に説明する。図１には、本実施形態における屋上緑化装置の模式的な平面図を示している。本実施形態の屋上緑化装置は、建物の屋上に設置されるものであって、図１に示すように、縦長の長方形状に形成された水槽１と、水槽１に水を供給する水供給部２と、緑化植物が植えられる領域の全域に渡って設けられる薄いシート状の吸水シート材３と、水槽１からの水を吸水シート材３に供給する負圧部材４とを有している。緑化植物は、吸水シート材３の上面に配置されて水の供給を受ける。また、吸水シート材３の周囲には、枠材５が枠組みされて、吸水シート材３の領域から水が漏れないようにしている。
【００１９】
水槽１は、底壁１０とその四周を囲む側壁１１とで構成されており、上方が開放状とされている。また、水槽１の長辺方向の長さは、緑化植物が植えられる領域の一辺の長さと同等となるようにされている。水槽１は、水供給部２から水の供給を受けることで、所定水位まで水を貯留することができる。また、水槽１は金属材により形成することが耐久性及び防火性の点から望ましいが、木材などによって形成してもよい。
【００２０】
水供給部２は、一般水道に接続されて、水槽１内の水が所定水位となるように水を供給する。図２には、水供給部２の模式図を示している。この図に示すように、水供給部２は水道に接続される接続部２０と、水を水槽１に流す供給口部２１と、接続部２０と供給口部２１の間に配置されて水の流動をコントロールするストッパ部２２とを有している。
【００２１】
接続部２０から供給口部２１までは、水を通す配管により構成されており、ストッパ部２２はこの配管に設置されて開閉自在な開閉弁２３と、開閉弁２３と連動して揺動自在に動作するアーム部２４と、アーム部２４の先端に取付けられ水よりも比重の小さいボール状の浮玉２５とからなっている。
【００２２】
図２（ａ）は、水槽１の水位が低い状態を表している。この図のように、水槽１の水位が低いときには、浮玉２５の重量によりアーム部２４は開閉弁２３の位置を中心に下がった状態となっており、この場合には開閉弁２３は開いた状態であって、水道からの水を供給口部２１側に流すことができる。
【００２３】
図２（ｂ）は、水槽１の水位が所定位置まで上がった状態を表している。開閉弁２３が開いた状態で水が水槽１に供給され、水位が上がっていくと、浮玉２５は水よりも比重が小さいため、水位の上昇に伴って浮力により上方に移動する。それによってアーム部２４は開閉弁２３の位置を中心に上がっていって開閉弁２３を次第に閉じ、水槽１の水位が所定位置に達したところで開閉弁２３が閉じるように設定されている。水槽１から吸水シート材３側に水が供給され、水位が下がると、浮玉２５は下方に移動するため、アーム部２４を介して開閉弁２３は開いた状態となり、再び水位が所定位置になるまで水の供給が継続される。
【００２４】
このような機構は、例えば水洗トイレのタンクなどにおいても用いられており、簡易な構造でストッパ部２２を構成することができる。ただし、ストッパ部２２の構成としてはこれには限られず、水槽１の水を一定に維持できるものであれば、どのようなものであってもよい。
【００２５】
水槽１から水を吸水シート材３に供給する負圧部材４は、布材によって構成されている。図３には、屋上緑化装置の断面図を示している。この図に示すように、負圧部材４は一端部が水槽１内において貯留された水に浸るようにされており、他端部が水槽１に隣接するように配置された吸水シート材３の端部と重なり合うようにされている。
【００２６】
水槽１内に配置される負圧部材４の一端部は、水槽１の底壁１０から側壁１１の内面側に沿うように取付けられており、側壁１１を乗り越えてその外面側に沿うと共に、他端部が吸水シート材３に重なり合って固定されている。布材からなる負圧部材４は、毛細管現象により水槽１内の水を吸い上げ、吸い上げられた水は負圧部材４の他端部側に移動して吸水シート材３に吸水される。吸水された水は、吸水シート材３内においてさらに拡散し、緑化植物が植えられる領域の全体に広がっていく。これによって、水槽１の水が負圧部材４及び吸水シート材３を介して緑化植物に供給されることとなる。
【００２７】
真夏の暑い時期や真冬の乾燥した時期には、負圧部材４による水の供給が追い付かない場合も考えられる。この場合には、逆Ｕ字状あるいは逆Ｊ字状に形成された細いパイプを用意し、その一端部を水槽１の水に浸し、他端部を吸水シート材３側であってパイプの一端部よりも低い位置に配置し、パイプ内に水を充填すると共に、吸水シート材３側の他端部が減圧された状態を維持することにより、サイフォンの原理によって動力を用いることなく、水槽１の水を吸水シート材３に対し補助的に供給することができる。
【００２８】
吸水シート材３は、水を通さない性質を有した非透水フィルムと、水を吸収しやすい性質を有した吸水性布の二層構造により構成されている。屋上緑化装置において吸水シート材３は、非透水フィルム側を建物屋上の上面側とし、吸水性布側を緑化植物が植えられる側とする。このように、吸水シート材３が非透水フィルムを有しているので、吸水シート３に供給された水が建物側には流出しないようにすることができる。
【００２９】
吸水シート材３には、吸水性及び放湿性に優れたポリエステル繊維を用いる。ポリエステル繊維自体は吸水性及び放湿性が低いので、吸湿率の高い繊維との各種の混繊、合撚、引揃えなどによりそれらを高められることが知られている。また、親水性化合物を共重合した共重合ポリエステルを用いることによっても、吸水性及び放湿性の高いポリエステル繊維を得ることができる。非透水フィルムとしては、塩化ビニルのフィルムなどを用いることができる。
【００３０】
図４には、緑化植物６を植えた状態の屋上緑化装置の斜視図を示している。ここでは、緑化植物６としてケンタッキーブルーグラスを採用している。ケンタッキーブルーグラスは、１年中枯れることがなく、継続して光合成を行い二酸化炭素を吸収する。したがって、屋上緑化を行ったことにより、日照による屋上の温度上昇を抑え、また建物の断熱性も向上することから、冷暖房効率を向上させることにより、ＣＯ２の排出を削減することができると共に、緑化植物６自身がＣＯ２を吸収することにより、さらなるＣＯ２の削減に寄与することができる。ただし、緑化植物６はケンタッキーブルーグラスには限られず、他の種類の芝あるいは植物を採用してもよい。緑化植物６は、薄い土層に対し面状に植栽されていて、シート状となっているものを屋上緑化装置の吸水シート材３の上面に載置することで、吸水シート材３から水の供給を受けることができる。また、緑化植物６が成長するのに伴い、その根が吸水シート材３に絡みつき、より確実に水を与えることができるようになる。
【００３１】
この屋上緑化装置を用いた屋上緑化方法としては、以下のとおりとなる。まず、建物屋上の上面に吸水シート材３を敷設すると共に、吸水シート材３の一辺に沿って水槽１を配置し、水槽１には水供給部２及び負圧部材４を設けて屋上緑化装置を形成し、吸水シート材３の上に緑化植物６を配置する。その後は、水供給部２に水を供給することにより、水槽１に水が貯留され、負圧部材４の毛細管現象により水槽１の水が吸い上げられると共に吸水シート材３に水が供給され、吸水シート材３から緑化植物６に水が与えられ、緑化植物６の生育及び維持が図られる。
【００３２】
水槽１には、定期的に水肥などの水溶性の肥料を供給する。肥料は水と共に緑化植物６に与えられることとなるので、緑化植物６の生育をより促進することができる。また、負圧部材４は水の不純物を含んだり、また屋上は屋外であるため汚れが付着したりして、次第に毛細管現象が弱まってくる。このため、定期的に屋上緑化装置から取り外して、洗浄し、あるいは交換する必要がある。
【００３３】
このように、本実施形態の屋上緑化装置及びそれを用いた屋上緑化方法は、負圧部材４によって水槽１の水を汲み上げ、吸水シート材３によって緑化植物６が植えられる領域の全体に水を行き渡らせる構成を有しているので、配管やポンプあるいはスプリンクラーなどの大掛かりな設備を必要としない。したがって、安価にかつ短い工事期間で屋上緑化装置を設置することができ、しかも軽量であることから多くの建物において採用することができる。
【００３４】
以上、本発明の実施形態について説明したが、本発明の適用は本実施形態には限られず、その技術的思想の範囲内において様々に適用されうるものである。例えば、本実施形態では負圧部材４として通常の布材を用いているが、不繊布あるいはスポンジのようなものであってもよく、いずれにしても毛細管現象により水を吸い上げることができると共に、水槽１の側壁１１に沿わせることのできるものであればよい。また、水槽１の幅を、本実施形態では緑化植物６が植えられる領域の一辺と同等となるようにしているが、これよりも幅狭あるいは幅広であってもよい。
【図面の簡単な説明】
【００３５】
【図１】本実施形態における屋上緑化装置の模式的な平面図である。
【図２】水供給部の模式図である。
【図３】屋上緑化装置の断面図である。
【図４】緑化植物を植えた状態の屋上緑化装置の斜視図である。
【符号の説明】
【００３６】
１    水槽
２    水供給部
３    吸水シート材
４    負圧部材
５    枠材
６    緑化植物
１０    底壁
１１    側壁
２０    接続部
２１    供給口部
２２    ストッパ部
２３    開閉弁
２４    アーム部
２５    浮玉
【図１】
2010110297.tif 000003
【図２】
2010110297.tif 000004
【図３】
2010110297.tif 000005
【図４】
2010110297.tif 000006